(57)【要約】      （修正有）【課題】折りたたみ椅子の腰掛部の中央部を空間にすることで、空間部にごみ袋を装着するなどし、便器機能を具備した非常トイレとして活用できる折りたたみ椅子を提供する。【解決手段】折りたたみ椅子に装備する腰掛部を第１腰掛部１ａと第２腰掛部２ａと第３腰掛部３ａでの３分割構成にし、中央部に位置する第２腰掛部は長手方向の片端を台座４の一部に係合でなる軸支体５を介し開閉自在にすることで腰掛部の第２腰掛部を空間Ｂを可能にし、空間Ｂにごみ袋Ｃを差し込み装着することで、折りたたみ椅子の腰掛部にトイレ機能を具備する構成にする。【選択図】図３
2016077766.tif 000002
【特許請求の範囲】
【請求項１】
折りたたみ椅子（Ａ）において、当該椅子に装備する腰掛部（１）を第１腰掛部（１ａ）と第２腰掛部（２ａ）と第３腰掛部（３ａ）での３分割構成にし、中央部に位置する第２腰掛部は長手方向の片端（２ｂ）を台座（４）の一部に係合でなる軸支体（５）を介し開閉自在にすることで腰掛部の第２腰掛部を空間（Ｂ）可能にし、該空間にごみ袋（Ｃ）を差し込み装着することで、折りたたみ椅子の腰掛部にトイレ機能を具備したことを特徴とする、折りたたみ椅子兼用非常トイレ。
【発明の詳細な説明】
【技術分野】
【０００１】
この発明は、折りたたみ椅子に便座機能を付加しゴミ収集用の袋を装着し、便器にすることで、非常用トイレを具備した、両用使いの出来る折りたたみ椅子に関する。
【背景技術】
【０００２】
この種の従来の技術で、最も近い技術として、特許文献１に記載され、開示されている。
【０００３】
すなわち、特許文献１での非常トイレ付き折りたたみ椅子は、会場の片隅にたたまれた椅子が重ねられて保管収容され、必要に応じて取り出して折りたたまれた椅子を開き、床面に配置して腰掛に使うことができる持ち運びで移動利用のできる折りたたみ椅子の腰掛部を改良したもので、従来の１枚の固定でなる腰掛部を２枚重ねでなる上腰掛部と下腰掛部の構成にし、下面に敷いた下腰掛部は中央部に穴を開口して便座にする構成で、そして、用便時は上面の上腰掛部の背もたれ部側の端を持ち上げ反対側を支点にして回転することで、穴の開口した台座に固定てなる下腰掛部が露出する仕組みで、そして、下腰掛部の穴の開口部にはゴミ収集用の袋を差し込み装備して汚物を処理する便器に仕立てる発明で、そして、これらの回転で開成した上腰掛部を下腰掛部の前面に直立して用便時に用便者の腹部をガードすることを特徴としている、折りたたみ椅子に設けた非常トイレが知られる。
【先行技術文献】
【特許文献】
【０００４】
【特許文献１】特開２００２−２３３４７４号公報
【発明の概要】
【発明が解決しようとする課題】
【０００５】
しかしながら、上述の発明は、折りたたみ椅子に便座機能を付加するのに腰掛部を２枚重ね合わせる構成にしたため椅子の総重量が下腰掛部１枚分増えることで高齢者の椅子の折りたたみや開成作業に難であり、更には、重い椅子の収納や取り出し持ち運びの作業に難があるなどの課題が残る。
【０００６】
また、下腰掛部を露出して便器利用の為のゴミ袋を穴の開口部に差し込み装着した後用便をするのに下半身着衣を解いて下腰掛部に腰掛けるに、下腰掛部の前面に直立する用便者の腹部をガードする上腰掛部が邪魔して両膝の置き場所に難があり、上腰掛部に両足を馬乗りにまたがって用便をしなければならないという不便さが課題として残る。そこで、災害や非常時に遭難場所や仮説では安直に用便対応のできる軽量、操作簡単な非常トイレが強く要望されていた。昨今簡易式の用便の処理袋に投入する尿便の消臭、除菌剤は優れた効果の高い粉末状の尿処理剤が大手専門メーカーから出回っており、処理剤も袋も焼却可能素材なので可燃ゴミとして捨てられる等で、非常トイレの属品として有用的に使われているなどで、折りたたみ椅子に付加した優れた非常トイレの開発が強く要望される。
【課題を解決するための手段】
【０００７】
この発明は、かかる課題を解決するために、請求項１での発明は、実施例として、図１の全体を示しての斜視図と図２と図３の使用例とで述べるに折りたたみ椅子Ａにおいて、当該椅子に装備する腰掛部１を第１腰掛部１ａと第２腰掛部２ａと第３腰掛部３ａでの３分割構成にし、中央部に位置する第２腰掛部は長手方向の片端２ｂを台座４の一部に係合でなる軸支体５により開閉自在にすることで腰掛部の第２腰掛部を空間部Ｂにし、該空間にごみ袋Ｃを差し込み装着することで、折りたたみ椅子に非常トイレ機能を具備する構成にしている。
【発明の効果】
【０００８】
本発明は上述のように構成作用するので、次の優れた効果を奏する。すなわち、請求項１での効果は、折りたたみ椅子の腰掛部を３分割にすることで、中央部の第２腰掛部を回動するだけでの簡単操作で、空間部を作ることができ、回動して開けられた第２腰掛部は腰掛部の底部に据え置けるため邪魔にならず、用便時に使いやすいトイレ便器に早や代わりし、腰掛部の第２腰掛部の抜けた空間部に手元に調達したごみ袋を装着し、その開口部に腰掛けて用便することができる。
このように、通常会場に配備される折りたたみ椅子が非常時に簡易便器に早や代わりにてきる利便性の高い、常備する折りたたみ椅子を利用して軽量で操作簡単な使い易い非常トイレを提供できる。
【図面の簡単な説明】
【０００９】
【図１】本発明に係わる第１実施例での全体を示す斜視図である。
【図２】本発明に係わる第１実施例での非常トイレ形態を示しての斜視図である。
【図３】本発明に係わる第１実施例での非常トイレ使用例での斜視図である。
【図４】本発明に係わる第２実施例での使用状態の斜視図である。
【発明を実施するための形態】
【００１０】
以下に図示の実施例に基づいて本発明を更に詳細に説明する。
すなわち、図１は本発明での実施例に基づく全体を示しての斜視図で、金属パイプでなる背もたれ付き前脚と後脚とを介して腰掛部とが折りたたみ自在に構成する椅子において、これらの折りたたみ椅子は、集会場、会議室、劇場など様々な催事に古くから利用されている。そして、椅子の必要としない場所での催事は、椅子を折りたたんで収納することが出来る利便性があるが、催事の椅子の腰掛以外は無用の存在として収納されたままで放置されている。これらの折りたたみ椅子の腰掛部が洋式での便器機能としの着眼が非常事態発生時に避難場所として活用されるこれらの場所に、必要とされる非常トイレの機能を具備する折りたたみ椅子の具現が強く要望される。
【００１１】
すなわち、すでに知られる折りたたみ椅子Ａの利便性を基本体にし、この椅子に装備する腰掛部１に改良を加えることで、非常トイレを具現化する為に、腰掛部を横並びに３分割にする。すなわち、第１腰掛部１ａと第２腰掛部２ａと第３腰掛部３ａの構成とするが、図２での斜視図で示す中央部に設けた第２腰掛部を腰掛部の片端２ｂに設けた軸支体５とで四角体に折り曲げたパイプ状の腰掛部を支える台座４の一辺に接合し、第２腰掛部のみを空間Ｂにする回動自在の構成にし、前方に回動した第２腰掛部は前脚接地面に設定されことになる。
【００１２】
さらに、図３での斜視図で示す腰掛部の中央部に任意に設ける空間にはゴミ収集用のごみ袋Ｃを差し込み装着することで安直に非常時に使うトイレ用の洋式の便器を具現化している。これらの第２腰掛部の空間に差し込んで装着したごみ袋の開口部にお尻を乗せ、用便するための空間の巾は任意に決定するとし、袋に投入する尿便の消臭、除菌剤は身近に調達できるものでよい。用便処理は袋を縛り密閉し処分することになる。そして使用後は第２腰掛部を元に回動して戻し、折りたたみ椅子の腰掛部に利用する構成である。
【００１３】
以上のように、パイプフレームに座板を取り付けた折りたたみイスは、広く普及しており、安価に販売されている。この折りたたみイスの座板を３つの部分に分割する。その中央部を開閉可能にする。パイプフレームにバンドを巻き付けてこれを中央部の一端に固定すると、軸受けになる。中央部は、パイプフレームを軸にして開閉できる。
【００１４】
この中央部を開いたときに開放された座板の部分に、ゴミ袋をつい下げる。露出したパイプフレーム４にバンドを巻きつけて、このバンド６にフック７を取り付ける。このフック７にゴミ袋Ｃを吊り下げるようにすれば、開放された座板の部分の下側全体を覆うようにゴミ袋Ｃを吊り下げることができる。
【００１５】
ゴミ袋Ｃの中には、消臭剤や水分を吸収する吸収剤を入れておく。この吸収剤は、おむつなどに広く使用されているものを採用すればよい。これにより、ゴミ袋に収容された汚物を断水し、かつ、脱臭し、そのまま袋の口を縛って廃棄することができる。
【００１６】
折りたたみイスは、折り畳んでどこにでも収納することができ、必要な時に取り出して、簡単に組み立てることができる。従って、非常用として最適である。囲いのある場所にこの折りたたみ椅子を配置すれば、すぐに非常用トイレとして活用できる。しかしながら、しかしながら、適切な囲いが見当たらない場合には、その周囲を覆う必要がある。
【００１７】
図４は、折りたたみ椅子Ａの周囲をカバー８で覆った例を示す斜視図である。この実施例では、パイプフレームに、傘を支える柱を固定する。傘はこの柱の宿の上端に固定する。傘を開いて折りたたみイスの上を覆う。さらに、傘の骨の先端にフックを取り付ける。そしてこのフックにビニールシートを吊り下げる。このビニールシートで折りたたみ椅子全体を包囲するようにすれば、個室ができあがる。ビニールシートも、傘も折りたたみイスと同様に折りたたんで収納できる。従って全体として、狭い場所に収納することができ、非常時には簡単に取り出して組み立てることができる。
【符号の説明】
【００１８】
Ａ    折りたたみ椅子
Ｂ    空間
Ｃ    ごみ袋
１    腰掛部
１ａ  第１腰掛部
２ａ  第２腰掛部
２ｂ  片端
３ａ  第３腰掛部
４    台座
５    軸支体
６    カバー
【図１】
2016077766.tif 000003
【図２】
2016077766.tif 000004
【図３】
2016077766.tif 000005
【図４】
2016077766.tif 000006